(57)【要約】  本明細書は、ファン吸気センサについて記載する。本装置用の筐体は、内部ファンを備え、筐体のカバーにある通気開口部と協同する適切な吸入口と排出口を含む空気流路を有する。
2009520175.tif 000002
【特許請求の範囲】
【請求項１】
薄型の壁掛けファン吸気センサ装置であって、
カバーと、
センサと、
前記カバーによって覆うことができる電子ファンと、を有し、
前記ファンは前記カバー内と前記センサの近くとに空気を取り入れ、前記センサは前記カバー内の前記空気の流れ経路内に配置されることを特徴とするセンサ装置。
【請求項２】
請求項１に記載の装置であって、
前記カバーは通気開口部を構成し、前記ファンによって取り入れられる前記空気は前記通気開口部を通ることを特徴とする装置。
【請求項３】
請求項１に記載の装置であって、
前記ファンは前記センサが内部に配置される流路内に配置されることを特徴とする装置。
【請求項４】
請求項１に記載の装置であって、
前記流れ経路はモールドされた流路によって形成されることを特徴とする装置。
【請求項５】
請求項４に記載の装置であって、
前記流路は少なくとも一部が前記カバーによって形成されることを特徴とする装置。
【請求項６】
請求項１〜５のいずれか１項に記載の装置であって、
前記カバーの前面が含まれる平面に対し、前記ファンはこの平面に平行に回転することを特徴とする装置。
【請求項７】
請求項１〜６のいずれか１項に記載の装置であって、
前記カバーは前記ファンの周辺に配置された枠をさらに有し、前記枠は空気流を前記流れ経路の方向に導くことを特徴とする装置。
【請求項８】
請求項１〜７のいずれか１項に記載の装置であって、
さらに台を有し、前記台は前記センサと前記ファンとを上部に取り付ける回路基板であることを特徴とする装置。
【請求項９】
薄型の壁掛けファン吸気センサ装置であって、
カバーと、
底板と、
前記底板上に取り付けられたセンサと、電子ファンと、を有し、
前記ファンは前記底板を覆う前記カバー内と前記センサの近くとに空気を取り入れることを特徴とするセンサ装置。
【請求項１０】
請求項９に記載の装置であって、
前記底板は流路の少なくとも一部を形成し、前記センサは前記流路内に配置されることを特徴とする装置。
【請求項１１】
請求項９に記載の装置であって、
前記底板は前記カバーとともに流路を形成し、前記ファンは前記流路内に配置されることを特徴とする装置。
【請求項１２】
請求項１１に記載の装置であって、
前記ファンは吸気開口部を通して前記カバー内に空気を取り入れ、前記底板の単数または複数の排気開口部から前記空気を排出することを特徴とする装置。
【請求項１３】
請求項１２に記載の装置であって、
前記流路は傾斜した底面を有することを特徴とする装置。
【請求項１４】
請求項９〜１３のいずれか１項に記載の装置であって、
前記底板は排気開口部を形成する単数または複数のくぼみを含む周辺枠を有することを特徴とする装置。
【請求項１５】
請求項９〜１４のいずれか１項に記載の装置であって、
前記底板は上部に取り付けられた回路基板を有し、前記回路基板は前記流路内に達する前記センサを有することを特徴とする装置。
【請求項１６】
請求項９〜１５のいずれか１項に記載の装置であって、
前記カバーは前記流路を覆い、前記流路の少なくとも一部を構成することを特徴とする装置。
【請求項１７】
請求項１２〜１６のいずれか１項に記載の装置であって、
前記ファンは前記底板に構成された開口部から排気することを特徴とする装置。
【請求項１８】
請求項１に記載の装置であって、
流路が中間部材によって設けられ、前記中間部材は空気を流すダクトを構成する前記流路を形成することを特徴とする装置。
【請求項１９】
請求項１８に記載の装置であって、
さらに台を有し、前記台は前記センサと前記ファンとを上部に取り付ける回路基板であることを特徴とする装置。
【発明の詳細な説明】
【技術分野】
【０００１】
本発明は、壁掛けセンサに関し、特に、センサへの空気流を内部でファンによって発生させる薄型の壁掛けセンサ筐体に関する。
【背景技術】
【０００２】
壁掛けセンサは、多種多様な建造物内において閉ざされた空間内の空気の温度、湿度、二酸化炭素、または他の特性を感知または測定する目的で使用される。壁掛けセンサは通常、自然換気された筐体を利用し、適したセンサが筐体内に収容される。筐体は外部の空気流に依存するので、センサが取り付けられる壁に生じる層流とはいくらか離れている方がセンサは最適に機能する。このため、従来技術の筐体は一般的に壁から３０〜４０ｍｍ離れて張り出し、筐体内に空気を出入りさせ循環可能にする複数の通気孔や開口部がある。一方、建築家、設計者、および消費者は、向上した（最低限の）外観を可能にする特徴である、高さが低く、開口部が最小である筐体を好む。しかしながら従来の薄型センサでは空気循環を犠牲にするので、結果的に感知が鈍くなったり不正確になったりする問題があった。
【発明の開示】
【課題を解決するための手段】
【０００３】
本発明の目的は、より厚みのある自然換気によるセンサと少なくとも同等に機能するファン吸気センサを提供することである。
【０００４】
本発明の別の目的は、内部にファンが配置された薄型センサを提供することである。
【０００５】
本発明のさらに別の目的は、向上したまたは柔軟性のある外観の特質を有するセンサであって、このような特質を達成するために性能を犠牲にしないセンサを提供することである。
【０００６】
そこで、センサとファンとが内部に取り付けられた薄型筐体を提供する。ファンによって筐体内とセンサ上とに空気が取り入れられる。センサを通過した空気は、筐体の開口部を通って送り出される。
【０００７】
本発明の好適な実施形態において、筐体は空気流チャンバを形成し、このチャンバ内にセンサが配置される。
【０００８】
本発明の別の実施形態において、ファンは筐体内にある電子機器からの熱の除去を助ける。
【発明を実施するための最良の形態】
【０００９】
次に、例えば温度を測定するために住居用の建物内で使用できるタイプの薄型の壁掛けセンサを参照しながら本発明を開示する。理解されるであろうが、本発明の教示は、特にファン吸気に関し、実際上は特定の筐体の形状やセンサの機能に制限されるものではない。
【００１０】
図１に示すようにファン吸気センサ１０は、薄型カバー１１によって形成される薄型の筐体と、カバー１１の台（ｂａｃｋｉｎｇ）となる回路基板１２とを有する。中間部材であるシャーシ１３は、カバー１１と回路基板１２との間に配置される。この中間部材１３は、開口部１６（図２参照）の上に小型の電子ファン１５を配置するファン取り付け部１４を組み込む薄いモールドを有する。ファン取り付け部１４は、さらに一組の側壁１７，１８を有する。側壁１７，１８は、カバー１１が取り付けられた際に吸入口１９を形成する。ファンは部材１３を含む平面で回転する。
【００１１】
カバー１１をはめた状態で、ファン１５はカバー１１の一端２１に配置された一連の第１通気開口部２０を通して空気を取り入れるように動作する。第１通気開口部２０は吸入口１９に隣接して配置することが望ましい。空気はこのようにファンによって第１通気開口部２０に取り入れられ、吸入口１９を通り、そして空気流路２２に送り出される。流路２２は、例えば中間部材１３と一体であってもよい。この流路２２は、組み立てなければ開いている下部が組み立てられて回路基板１２でふさがれ、空気を流すダクトを構成する。ファン１５によってダクトに取り入れられた空気は、中間部材１３の一端に配置された排出口２３から放出される。空気流路２２は、吸入口１９と排出口２３との間に配置されることが望ましい。流路はカバーまたはシャーシにモールドしてもよいし、もしくは別途構成し、カバー１１下部における空気流の経路内のどこかに組み込んでもよい。放出された空気は次にカバー１１の逆側に配置された一連の第２通気開口部２４を通って出る。一連の第２通気開口部２４は排出口２３に隣接して配置することが望ましい。
【００１２】
理解されるであろうが、ダクト２２の壁面の範囲内に置かれる回路基板１２の上面２５上に配置されるセンサであれば、ファン１５によって筐体に取り入れられる絶え間ない室内空気流にさらされる。この同じ空気流によって、回路基板１２上のダクト壁面内側に位置する電子部品は冷却される。
【００１３】
図面に示される例において、中間部材１３は中央開口部２６をさらに有する。この中央開口部によって回路基板１２上に取り付けられたＬＥＤ表示などのグラフィック表示を特殊なカバー構造（図示せず）が使用された場合にカバー１１を通して表示させることができる。同じ中央開口部２６によって、回路基板１２上に取り付けられたスイッチを特別に適合されたカバー１１が使用された場合に作動させることもできる。
【００１４】
理解されるであろうが、示した例では、ファン１５は中間部材１３の一方から空気を取り入れ、中間部材１３の他方に配置されたダクトに送る。同様に理解されるであろうが、例は長手方向の両端に配置される吸気開口部および排気開口部２０，２４を有する長方形の筐体に関する。
【００１５】
上記の例では、中間部材１３と回路基板１２とは２層のシャーシである。他の実施形態では、このシャーシは１層のみ有してもよく、この１層の上に、２層（中間部材および回路基板）上に置かれたいくつかのまたはすべての機構および部品を配置してもよい。さらに他の実施形態では、シャーシを用いず壁に直接装置を取り付けてもよい。これらの例では、装置で使用される部品は、カバー自体に置かれる。
【００１６】
本技術の特徴と利点を備える第２の実施形態を図３および４に示す。図３に示すように、薄型の吸気センサ３０は周辺枠３２を含むモールドされた底部３１を有する。枠３２の末端部３３には、くぼんだ排気開口部３４があり、この例では底部３１の各辺に２つずつある。モールドされた底部３１は、上部が開口している流路３５をさらに有し、この流路内に吸気ファン３６が配置される。流路３５に入る空気は、モールドされたカバー３８の前面つまり主要面に配置された吸気開口部３７を通る。モールドされたカバー３８の裏面は流路３５の開口した上部をふさぐ。空気は吸気開口部３７を通って入り、センサ３９を通過する。吸気開口部３７から取り入れられた空気はファン３６に向かって進む。ファン３６は、入ってきた空気をモールドされた底部４１の穴から放出する。この空気は次に排気開口部３４から排出される。この例ではセンサ３９は、モールドされた底部３１の表面上に置かれる回路基板４２に取り付けられ付随している。この例では、流路３５の側壁にはセンサを入れられる小さな切り込み４３がある。また、モールドされた底部の底面４４は上方に向かって傾斜しているので、ファン３６をその上面が流路底面４４と概ねゆるやかにつながるように配置できる。
【００１７】
これらおよびその他の設計上の詳細は、使用者の技術的およびデザイン上の必要性に応じて変化さることができ、ここでは例として挙げられたものであって、本発明の精神の範囲を制限するものではないことを理解されたい。
【図面の簡単な説明】
【００１８】
【図１】本発明の教示に従った薄型センサの分解斜視図である。
【図２】図１に示した装置を逆さにした分解斜視図である。
【図３】本発明の第２実施形態の分解斜視図である。
【図４】図３に示した実施形態を逆さにした分解斜視図である。
【図１】
2009520175.tif 000003
【図２】
2009520175.tif 000004
【図３】
2009520175.tif 000005
【図４】
2009520175.tif 000006
【国際調査報告】
2009520175.tif 000007
2009520175.tif 000008
2009520175.tif 000009